(57)【要約】【課題】優れた送水率（浸透率）を長期間維持することができる液体分離・送水路変更装置を提供する。【解決手段】貯水槽１の内部又は外部に、略鉛直方向に延伸する配管２を配設し、当該配管２の周面に、その周面との連結端３１が開口端３２よりも上方に位置し、且つ、開口端３２が貯水槽１の内部に位置するように分岐配管３を連結させた構成とする。そして、貯水槽１の内部に貯留された液体を、少なくとも分岐配管３及び配管２を介して、他へ送水するようにする。【選択図】  図１
0003144327.tif 000002
【実用新案登録請求の範囲】
【請求項１】
貯水槽の内部又は外部に設置されるものであって、略鉛直方向に延伸する配管を配設し、当該配管の周面に、その周面との連結端が開口端よりも上方に位置し、且つ、前記開口端が前記貯水槽の内部に位置するように分岐配管を連結させた構成とし、
前記貯水槽の内部に貯留された液体を、少なくとも前記分岐配管及び前記配管を介して、他に送水するようにしたことを特徴とする液体分離・送水路変更装置。
【請求項２】
前記分岐配管を、前記配管の高さ方向に二以上設けたことを特徴とする請求項１に記載の液体分離・送水路変更装置。
【請求項３】
前記配管の周面に、前記液体を他に送水可能とする送水管を連結させたことを特徴とする請求項１又は２に記載の液体分離・送水路変更装置。
【請求項４】
前記分岐配管の開口端近傍に、異物浸入阻止部材を設けたことを特徴とする請求項１から３のいずれかに記載の液体分離・送水路変更装置。
【考案の詳細な説明】
【技術分野】
【０００１】
本考案は、生活用水等の汚水や雨水など貯水槽内の液体を、地中に浸透させたり、他へ送水するために用いる液体分離・送水路変更装置に関するものである。
【背景技術】
【０００２】
従来、この種の液体分離・送水路変更装置として、主に浸透枡が知られている。該浸透枡としては、有底又は無底の中空状円柱や中空状角柱等からなる処理槽を、その軸方向が鉛直方向に延伸するように地中に埋設して使用するものが一般的に知られている。
この浸透枡は、処理槽内に注入された処理水が、処理槽の底面や、処理槽の側面に設けられた排水口から地中に排水されるように構成されている。
【０００３】
しかしながら、処理水にゴミや塵等の異物が含有されていると、異物により排水口が閉塞され、浸透率が低下する場合があった。
特許文献１では、浸透枡をなす処理槽の側面に設けられた貫通孔（排水口）の閉塞を防止するために、排水口を鉛直方向に延伸する長孔で構成することが提案されている。この特許文献１に記載の浸透枡によれば、排水口を閉塞させる原因となる異物が、水位の低下に伴って排水口をなす長穴に沿って落下するようになるため、正方形や円形の排水口を設けた場合と比べて、排水口の閉塞を防止することができる。
【特許文献１】実開平７−３１９８８号公報
【考案の開示】
【考案が解決しようとする課題】
【０００４】
しかしながら、上述した特許文献１に記載の浸透枡においては、処理水の浸透速度、水位の増減速度、及び異物の種類等により貫通孔が閉塞される場合があるため、異物による排水口の閉塞を完全に防止して、優れた浸透率を長期間維持するという点でさらなる改善の余地があった。
【０００５】
また、上述した特許文献１に記載の浸透枡においては、浸透枡の底面に異物による沈殿物が蓄積されると、沈殿物により排水口が閉塞される場合があった。ここで、上述した特許文献１に記載の浸透枡において、底面に蓄積された沈殿物を除去する保守作業を定期的に行えば、優れた浸透率を長期間維持することが可能となるが、メンテナンス性が良好ではなくなるという新たな不具合が生じる。
【０００６】
そこで、本考案は、上記事情に鑑みてなされたものであり、優れた浸透率を長期間維持することができる液体分離・送水路変更装置を提供することを課題としている。
【課題を解決するための手段】
【０００７】
このような課題を解決するために、本考案は、貯水槽の内部又は外部に、略鉛直方向に延伸する配管を配設し、当該配管の周面に、その周面との連結端が開口端よりも上方に位置し、且つ、前記開口端が前記貯水槽の内部に位置するように分岐配管を連結させた構成とし、前記貯水槽の内部に貯留された液体を、少なくとも前記分岐配管及び前記配管を介して、他へ送水するようにしたことを特徴とする液体分離・送水路変更装置を提供する。
【０００８】
すなわち、本考案に係る液体分離・送水路変更装置においては、貯水槽内に注入された液体が、分岐配管の開口端まで貯留されると、分岐配管の開口端から配管に移動し、配管を介して、他へ送水するように構成されている。
【０００９】
本考案に係る液体分離・送水路変更装置によれば、貯水槽の内部又は外部に配管を設け、この配管の周面に連結させた分岐配管を、その周面との連結端が開口端よりも上方に位置し、且つ、開口端が貯水槽の内部に位置するように設けたことにより、液体に含まれる浮遊物（異物）が分岐配管を通過して配管内に侵入し難くなるため、液体の送水口となる配管の異物による閉塞を防止できる。よって、液体の浸透速度、水位の増減速度、及び異物の種類等にかかわらず、異物による排出口の閉塞を効率よく防止できるため、優れた送水率を長期間維持することができ、具体的には、液体を地中へ排水・浸透させる場合に、優れた浸透率を長期間維持することが可能となる。
【００１０】
ここで、本考案に係る液体分離・送水路変更装置においては、前記分岐配管を、前記配管の高さ方向に二以上設けた構成としてもよい。
この構成によれば、貯水槽の底面に異物の沈殿物が蓄積して、下方に位置する分岐配管が閉塞された場合であっても、その上方に位置する分岐配管を利用して貯水槽から配管への送水を行うことができる。このため、上述した特許文献１に記載の浸透枡の場合のように、底面に蓄積された沈殿物を除去する保守作業を頻繁に行わなくても、優れた浸透率を長期間維持することができる。
【００１１】
また、本考案に係る液体分離・送水路変更装置においては、前記配管の側面に、前記液体を他へ送水可能とする送水管を連結させた構成としてもよい。
この構成によれば、配管内に移動させた液体を、配管の開口端のみならず、配管の周面からも散水することができるため、送水率をより向上させることができる。
【００１２】
さらに、本考案に係る液体分離・送水路変更装置においては、前記分岐配管の開口端近傍に、異物進入阻止部材を設けた構成としてもよい。
この構成によれば、異物浸入阻止部材により、分岐配管内への異物の浸入をより効率よく阻止できるため、液体の送水口となる配管の異物による閉塞をより効率よく防止できる。
【考案の効果】
【００１３】
本考案に係る液体分離・送水路変更装置によれば、液体に異物が含有されている場合であっても、液体の送水口となる配管の異物による閉塞を防止することができるため、優れた送水率を長期間維持することが可能となる。
【考案を実施するための最良の形態】
【００１４】
以下、本考案に係る液体分離・送水路変更装置の実施形態について、図面を参照しながら説明する。
【００１５】
＜第一実施形態＞
図１は、本考案に係る液体分離・送水路変更装置の一例を示し、（ａ）は斜視図、（ｂ）は図１（ａ）のＡ−Ａ断面図である。図２は、本考案に係る液体分離・送水路変更装置の一使用例を示す断面図である。
【００１６】
この液体分離・送水路変更装置１０Ａは、図１に示すように、底面と側面に開口孔１１，１２を備えた有底のコンクリート製の貯水槽１に設置されるものであって、この貯水槽１の内部中央に略鉛直方向に延伸させた状態で配設され、貯水槽１よりも小径で、無底の中空状円柱からなる鉄製の配管２からなる。
【００１７】
ここで、配管２は、その長さ方向一端（送水口となる開口端）２１が、貯水槽１の底面に設けられた開口孔１１を貫通し、貯水槽１の底面よりも鉛直方向下方に配置され、その長さ方向他端２２が貯水槽１の開口面よりも鉛直方向下方に配置された状態で、立てて配設されている。
このとき、開口端２１の外周縁には、図１に示すように、液体内の異物を除去するべく、割れ栗石や砂利等のろ過石７が敷設される。
【００１８】
また、配管２の周面には、貯水槽１の底面に向かってそれぞれ所定角度（例えば、３０°程度）傾斜させた複数（本実施形態では２本）の分岐配管３が、その高さ方向に所定間隔を空けた状態で連結されている。
分岐配管３は、いずれも同一寸法であり、配管２と略同一又はそれよりも小さな径を有する鉄製の中空状円柱からなる。
また、分岐配管３は、その長さ方向一端（連結端）３１が、配管２の高さ方向に所定間隔を空けて設けられた開口孔２３にそれぞれ溶接等により連結され、その長さ方向他端（開口端）３２が貯水槽１の内部に配置されている。すなわち、この分岐配管３は、配管２の周面との連結端３１が、開口端３２よりも上方に配置されている。
【００１９】
さらに、配管２の周面において、上下分岐配管３同士の中間位置及び最下部の分岐配管３の下方には、それぞれ一本ずつ、配管２の直径方向に延伸する送水管４が連結されている。
ここで、送水管４は、その長さ方向一端（連結端）４１が、配管２の周面において高さ方向に所定間隔を空けて設けられた開口孔２４にそれぞれ溶接等で連結され、その長さ方向他端（開口端）４２が、貯水槽１の側面に設けられた開口孔１２を貫通し、貯水槽１の外部に突出した状態で配設されている。
【００２０】
さらに、貯水槽１の内部において、分岐配管３の開口端３２近傍には、この開口端３２を被覆する円形状の金網部材（異物浸入阻止部材）５が設けられている。
【００２１】
なお、この液体分離・送水路変更装置１０Ａは、貯水槽１が地中に掘削加工を施して設けた孔の内部に設置され、該貯水槽１の外周面に割れ栗石や砂利（図示せず）を埋め戻すことで、地中に埋設された状態で使用される。
また、貯水槽１から外側に突設された配管２及び送水管４の外周面近傍にも、液体の送水率（浸透率）を向上させるために、割り栗石や砂利（図示せず）が配設された状態で使用される。
【００２２】
次に、本実施形態に係る液体分離・送水路変更装置１０Ａにおける液体の送水方法について以下に示す。
【００２３】
まず、貯水槽１に注入された液体は、図２（ａ）に示すように、貯水槽１の内部に貯留される。そして、貯水槽１の内部に貯留された液体の水位が、最下部に位置する分岐配管３の開口端３２よりも高くなると、図２（ｂ）に示すように最下部の分岐配管３の開口端３２を通過して配管２に移動し、配管２の送水口となる開口端２１から他へ（例えば、地中へ）送水される。
【００２４】
ここで、貯水槽１においては、液体に含有された異物のうち、比較的軽いものは、浮遊ゴミとして液体の水面に浮かび、金網部材５と、分岐配管３に設けられた傾斜とにより、分岐配管３への侵入を阻止される。一方、液体に含有された異物のうち、比較的重いものは、液体が分岐配管３の開口端３２まで貯留されるまでの間に、貯水槽１の底面に沈殿物として蓄積される。これにより、貯水槽１において異物が除去された後の液体が、配管２の送水口となる開口端２１から他へ（例えば、地中へ）送水される。
【００２５】
また、配管２の底面をなす開口端２１からの他への送水率（地中への浸透率）よりも、分岐配管３から配管２内への液体の注入量が多い場合には、配管２の内部に液体が貯留される。そして、配管２の内部に貯留された液体の水位が、配管２の最下部に設けられた送水管４の連結端４１よりも高くなると、図２（ｃ）に示すように、液体が配管２から送水管４を通過し、送水管４の開口端４２からも他へ（例えば、地中へ）送水される。
【００２６】
すなわち、本実施形態に係る液体分離・送水路変更装置１０Ａによれば、貯水槽１の内部に配管２を配設し、この配管２の周面に、貯水槽１の底面に向かって傾斜する分岐配管３を設けたことにより、分岐配管３から配管２への異物の侵入を防止することができる。よって、液体分離・送水路変更装置１０Ａの送水口となる配管２への異物の閉塞を防止できるため、優れた送水率（浸透率）を長期間維持することができる。
【００２７】
また、本実施形態に係る液体分離・送水路変更装置１０Ａによれば、分岐配管３の開口端３２にゴミ取り用の金網部材５を設けたことにより、分岐配管３から配管２への異物の浸入を効果的に防止することができる。
【００２８】
さらに、本実施形態に係る液体分離・送水路変更装置１０Ａによれば、分岐配管３を通過させることで異物が除去された液体を配管２を介して他へ（例えば、地中へ）送水できるように構成するとともに、万が一配管２内に異物が浸入しても、最終的に開口端２１の外周縁に敷設されたろ過石７によってその異物が除去される構成とすることにより、液体の清浄度を向上させることができる。よって、生活用水等の汚水を地中に浸透させる場合であっても、本実施形態に係る液体分離・送水路変更装置１０Ａを通すことにより、安心して送水することができる。
【００２９】
さらに、本実施形態に係る液体分離・送水路変更装置１０Ａによれば、複数本の分岐配管３を、配管２の高さ方向に所定間隔を空けて、略同一勾配で設けたことにより、貯水槽１の底面に異物の沈殿物が蓄積されて、最下部に位置する分岐配管３の開口端３２が閉塞された場合であっても、その直上の中央部に位置する分岐配管３を利用して、連続して配管２への送水を行うことができる。
よって、上述した特許文献１に記載の浸透枡の場合のように、貯水槽１の底面に蓄積された沈殿物を除去する保守作業を頻繁に行わなくても、優れた送水率（浸透率）を長期間維持することができる。
【００３０】
さらに、本実施形態に係る液体分離・送水路変更装置１０Ａによれば、配管２に連結させる送水管４を、上下分岐配管３同士の中間位置及び最下部の分岐配管３の下方に設けたことにより、配管２に貯留された液体が分岐配管３を介して貯水槽１に逆戻りすることなく、送水管４を介して他へ送水させることができる。
【００３１】
さらに、本実施形態に係る液体分離・送水路変更装置１０Ａによれば、配管２の周面に、開口端４２を貯水槽１の外部に位置させた送水管４を連結させたことにより、配管２の送水口となる開口端２１のみから他へ送水する場合と比べて、他への送水量が増加するとともに、地中への浸透を行う場合には、より地表に近い部分から送水することができるため、水圧や水力が大きくなり、浸透率をより向上させることができる。
【００３２】
なお、本実施形態に係る液体分離・送水路変更装置１０Ａにおいては、貯水槽１を有底とした場合について説明したが、貯水槽１を無底とし、貯水槽１の底面、配管２の送水口となる開口端２１、及び送水管４の開口端４２から他へ送水できる構成としてもよい。
また、貯水槽１を無底とし、貯水槽１の高さ方向所定位置に貯水槽１の外径と略同一寸法の仕切り板を設けて、貯水槽１の高さ方向所定位置に底面を形成した構成としてもよい。
【００３３】
ここで、貯水槽１を有底とする場合には、貯水槽１の底面に蓄積される沈殿物を除去する保守作業の頻度を少なくするために、貯水槽１の底面から開口面までの鉛直方向長さを、出来る限り長くすることが好ましい。
【００３４】
また、本実施形態に係る液体分離・送水路変更装置１０Ａにおいて、配管２や該配管２に連結させる分岐配管３や送水管４の構成はこれに限らず、その設置本数、管径、管形状、素材等は適宜変更可能である。
【００３５】
例えば、分岐配管３や送水管４を、その長さ方向途中に所定角度を持たせた形状に構成してもよい。
また、配管２の送水口となる開口端２１や送水管４の開口端４２の周面に、複数の孔からなる送水口を有するように構成してもよい。
さらに、送水管４の開口端４２を、貯水槽１の底面の鉛直方向下方に位置するように構成してもよい。
そしてまた、配管２の長さ方向他端２２について、図示されているように、Ｕ字状に曲げることで、該長さ方向他端２２が下向きとなるように構成してもよい。
【００３６】
＜第二実施形態＞
図３は、本考案に係る液体分離・送水路変更装置の一例を示し、（ａ）は斜視図、（ｂ）は図３（ａ）のＢ−Ｂ断面図である。図４は、本考案に係る液体分離・送水路変更装置の一使用例を示す断面図である。
【００３７】
この液体分離・送水路変更装置１０Ｂは、図３に示すように、側面に開口孔１２を有する有底のコンクリート製の貯水槽１に設置されるものであって、この貯水槽１の外部に略鉛直方向に延伸させた状態で配設され、貯水槽１よりも小径で、側面視略Ｌ字形状を有する中空状円柱からなる鉄製の配管２からなる。
【００３８】
ここで、配管２は、その長さ方向一端（送水口となる開口端）２１が、貯水槽１の側面において、貯水槽１の底面よりも下方に配置され、その長さ方向他端２２が貯水槽１の開口面よりも鉛直方向下方に配置された状態で、立てて配設されている。
このとき、開口端２１の外周縁には、図３に示すように、液体内の異物を除去するべく、割れ栗石や砂利等のろ過石７が敷設される。
【００３９】
また、配管２の周面には、貯水槽１の底面に向かって所定角度（例えば、３０°程度）傾斜させた複数（本実施形態では２本）の分岐配管３が、その高さ方向に所定間隔を空けた状態で連結されている。
【００４０】
分岐配管３は、いずれも同一寸法であり、配管２と略同一又はそれよりも小さな径を有する鉄製の中空状円柱からなる。
また、分岐配管３は、その長さ方向一端（連結端）３１が、配管２の高さ方向に所定間隔を空けて設けられた開口孔２３にそれぞれ溶接等により連結され、その長さ方向他端（開口端）３２が貯水槽１の側面にその高さ方向に所定間隔を空けて設けられた開口孔１２を貫通して貯水槽１内に位置するように設けられている。
さらに、配管２の周面において、上下分岐配管３同士の中間位置及び最下部の分岐配管３の下方には、それぞれ一本ずつ、配管２の直径方向に延伸する送水管４が連結されている。
【００４１】
ここで、送水管４は、その長さ方向一端（連結端）４１が、配管２の周面において高さ方向に所定間隔を空けて設けられた開口孔２４にそれぞれ溶接等で連結されている。
【００４２】
さらに、貯水槽１の内部において、分岐配管３の開口端３２近傍には、この開口端３２を被覆する円形状の金網部材（異物浸入阻止部材）５が設けられている。
【００４３】
なお、この液体分離・送水路変更装置１０Ｂをなす貯水槽１、配管２、分岐配管３及び送水管４は、いずれも地中に掘削加工を施して設けた孔の内部に設置され、貯水槽１、配管２、分岐配管３及び送水管４の外周面にそれぞれ割れ栗石や砂利（図示せず）を埋め戻すことで、地中に埋設された状態で使用される。
【００４４】
次に、本実施形態に係る液体分離・送水路変更装置１０Ｂにおける液体の送水方法について以下に示す。
【００４５】
まず、貯水槽１に注入された液体は、図４（ａ）に示すように、貯水槽１の内部に貯留される。そして、貯水槽１の内部に貯留された液体の水位が、最下部に位置する分岐配管３の開口端３２よりも高くなると、図４（ｂ）に示すように最下部の分岐配管３の開口端３２を通過して配管２に移動し、配管２の開口端２１から他へ（例えば、地中へ）送水される。
【００４６】
ここで、この貯水槽１においては、上述した第一実施形態と同様に、液体に含有された異物のうち、比較的軽いものは、金網部材５と分岐配管３に設けられた傾斜により、分岐配管３への侵入を阻止され、比較的重いものは、液体が分岐配管３の開口端３２まで貯留されるまでの間に、貯水槽１の底面に沈殿物として蓄積される。これにより、貯水槽１において異物が除去された後の液体が、配管２の送水口となる開口端２１から他へ（例えば、地中へ）送水される。
【００４７】
また、配管２の底面をなす開口端２１からの他への送水率（地中への浸透率）よりも、分岐配管３から配管２内への液体の注入量が多い場合には、配管２の内部に液体が貯留される。そして、配管２の内部に貯留された液体の水位が、配管２の最下部に設けられた送水管４の連結端４１よりも高くなると、図４（ｂ）に示すように、液体が配管２から送水管４を通過し、送水管４の開口端４２からも他へ（例えば、地中へ）送水される。
【００４８】
すなわち、本実施形態に係る液体分離・送水路変更装置１０Ｂによれば、貯水槽１の外部に配管２を配設し、この配管２の周面に、貯水槽１の底面に向かって傾斜する分岐配管３を設けたことにより、上述した第一実施形態と同様の作用効果が得られる。
【００４９】
また、本実施形態に係る液体分離・送水路変更装置１０Ｂによれば、貯水槽１に貯留された液体を、分岐配管３を通過させることで異物が除去された液体を配管２を介して他へ（例えば、地中へ）送水できるように構成するとともに、万が一配管２内に異物が浸入しても、最終的に開口端２１の外周縁に敷設されたろ過石７によってその異物が除去される構成とすることにより、優れた送水率（浸透率）を長期間維持できる液体分離・送水路変更装置１０Ｂを、提供することができる。
【００５０】
なお、本実施形態に係る液体分離・送水路変更装置１０Ｂにおいては、配管２の周面に送水管４を設け、配管２及び送水管４の開口端から送水する構成としたが、これに限らず、配管２の周面に送水管４を設けず、配管２の内部に注入された液体を全て配管２の送水口となる開口端２１から送水する構成としてもよい。
【００５１】
また、本実施形態に係る液体分離・送水路変更装置１０Ｂにおいては、分岐配管３の開口端３２が、貯水槽１の側面に設けられた開口孔１２を貫通して貯水槽１内に位置するように設けられている構成としたが、これに限らず、該開口端３２を貯水槽１の側面と略面一となるように設け、溶接等により連結されている構成としてもよい。
【００５２】
また、本実施形態に係る液体分離・送水路変更装置１０Ｂにおいては、配管２や分岐配管３、送水管４の構成はこれに限らず、その設置本数、管径、管形状、素材等は適宜変更可能である。
例えば、配管２を、貯水槽１の外部に複数本設けた構成としてもよい。
【００５３】
例えば、分岐配管３や送水管４を、その長さ方向途中に所定角度を持たせた形状に構成してもよい。
また、配管２の送水口となる開口端２１や送水管４の開口端４２の周面に、複数の孔からなる送水口を有するように構成してもよい。
さらに、送水管４の開口端４２を、貯水槽１の底面の鉛直方向下方に位置するように構成してもよい。
そしてまた、配管２の長さ方向他端２２について、図示されているように、Ｕ字状に曲げることで、該長さ方向他端２２が下向きとなるように構成してもよい。
【００５４】
また、配管２の管形状を、側面視略Ｔ字形状を有する中空状円柱から構成し、そのＴ字の縦線をなす配管２を貯水槽１の外部に略鉛直方向に延伸するように配置するとともに、そのＴ字の横線をなす箇所を配管２における二つの開口端２１とする構成も考え得る。
この構成にすれば、配管２の送水口となる開口端２１が、貯水槽１の外部二方向に設けられるため、他への送水量が増加し、送水率（浸透率）をより向上させることができる。
【００５５】
さらに、本実施形態に係る液体分離・送水路変更装置１０Ａ，１０Ｂにおいては、異物侵入阻止部材として、金網部材５を用いた場合について説明したが、これに限らず、適宜変更可能である。例えば、異物侵入阻止部材を、液体の水位に合わせて上下動可能となるように、平板部材に浮き部材を固定させてなり、この異物侵入阻止部材を支持棒により上下動可能とした構成としてもよい。
【産業上の利用可能性】
【００５６】
本考案に係る液体分離・送水路変更装置は、貯水槽として下水管や貯水地を用いて、液体として生活用水等の汚水や雨水を地中に排水・浸透させる場合に好適に用いることができる。
【図面の簡単な説明】
【００５７】
【図１】本考案に係る浸透枡の一例を示し、（ａ）は斜視図、（ｂ）は図１（ａ）のＡ−Ａ断面図である。
【図２】図１に示す浸透枡の一使用例を示す断面図である。
【図３】本考案に係る浸透枡の他の例を示し、（ａ）は斜視図、（ｂ）は図３（ａ）のＢ−Ｂ断面図である。
【図４】図３に示す浸透枡の一使用例を示す断面図である。
【符号の説明】
【００５８】
１    貯水槽
２    配管
３    分岐配管
４    送水管
３１    連結端
３２    開口端
４１    連結端
４２    開口端  
５    金網部材（異物侵入阻止部材）
１０Ａ，１０Ｂ    液体分離・送水路変更装置
【図１】
0003144327.tif 000003
【図２】
0003144327.tif 000004
【図３】
0003144327.tif 000005
【図４】
0003144327.tif 000006